(57)【特許請求の範囲】
【請求項１】
開閉戸と、開閉戸の開閉に連動して下枠の凹凸条域を平坦にする平坦部材を備え、平坦部材は、単位部材を折曲げ自在に連結したものであり、平坦部材の一端は、縦枠または戸当り框の下端に連結してあり、また、縦枠または戸当り框には平坦部材の収納部が設けてあり、縦枠の下端または戸当り框には、平坦部材導入用の開口部を設け、収納部の下部で開口部の反対側には平坦部材の収納を案内する案内片を付設したことを特徴とする開閉戸のサッシ。
【発明の詳細な説明】
【０００１】
【産業上の利用分野】
本発明は、開閉戸、特に開閉障子のサッシに関するものであり、更に詳しくは開閉戸を開けて車椅子等で開閉戸のサッシ枠を通過する場合に、車椅子の走行が円滑に行くようにする開閉戸のサッシに関するものである。
【０００２】
【従来の技術】
開閉戸のサッシは開閉戸を開閉のために走行させる関係上、その下枠にレールが設けてあるのが一般的であり、和式の障子には溝条が形成されているのが一般的であるが、何れにしても下枠には凹凸条が形成されていることが多く、開閉戸を開けて車椅子等で移動する場合に凹凸条に車椅子の車輪がはまりこんだり大きく上下に揺動して走行に支障を来すことがあった。また、上記凹凸条に人が足を取られて転倒し骨折等の思わぬ事故を惹起することがあった。
【０００３】
【発明が解決しようとする課題】
本発明の課題は、上記従来の開閉戸のサッシの問題点を解決することにあり、サッシの下枠に凹凸条が形成してあっても、開閉戸の開時には凹凸条域を平坦にして車椅子等の移動の障害とならないサッシを提供することを課題とするものである。
【０００４】
【課題を解決するための手段】
前記課題を解決する手段として、本願発明の開閉戸のサッシは、開閉戸と、開閉戸の開閉に連動して下枠の凹凸条域を平坦にする平坦部材を備え、平坦部材は、単位部材を折曲げ自在に連結したものであり、平坦部材の一端は、縦枠または戸当り框の下端に連結してあり、また、縦枠または戸当り框には平坦部材の収納部が設けてあり、縦枠の下端または戸当り框には、平坦部材導入用の開口部を設け、収納部の下部で開口部の反対側には平坦部材の収納を案内する案内片を付設したことを特徴とする。
【０００６】
【発明の実施の形態】
以下、図面を参照して実施例について説明する。
（開閉戸のサッシ枠について）本発明が適用されるサッシ枠の構造は従来のものと格別変わるものではない。換言すれば、本発明は従来のサッシ枠にも適用することができるものである。図２〜４に示すように、第１開閉戸を構成する第１開閉障子１０、及び第２開閉戸を構成する第２開閉障子２０は、躯体（図示せず）開口部に取り付けられているサッシ枠３０内で引き戸形式で左右に走行即ち開閉自在に取り付けられている。
【０００７】
そのため、サッシ枠３０の下枠３１にはその長さ方向に沿ってレール３２、３２が設けられており、その結果、下枠３１の上面は凹凸条域Ｒが形成されていることになる。該凹凸条域Ｒは特に図３、５に示されており、上記サッシ枠３０の下枠３１の構成は従来のものと格別変わるところはない。
【０００８】
第１開閉障子１０の戸当り框１１には上下方向に後述の平坦部材４０を収納するための収納部１２が設けられている。該収納部１２は、特に図１、２及び図４に示されているように戸当り框１１の内部に断面方形状の筒状部を穿設して形成され、且つその下端部の縦枠３３側に平坦部材４０の導入のための開口部１３が形成され、更に、前記開口部１３の反対側面には特に図１に示すように縦断面三角形の案内片１４が設けられている。なお、前記案内片１４の両側には案内片１４と略相似形状の側板１５、１５が配置されている。
【０００９】
上記平坦部材４０を収納するための収納部１２は、戸当り框１１自体をその外枠体として形成してもよいが、戸当り框１１に沿って外付け或いは後付けとして設けても良い。また、何れの付設手段を採用するにしろ、収納部１２内面は平坦部材４０が上下に摺接しながら移動することから平滑に形成する必要がある。
【００１０】
（平坦部材について）本発明の最大の特徴はこの平坦部材４０を下枠３１に付設した点にある。該平坦部材４０は上記下枠３１に形成されるレール３２、３２を設けた部分の凹凸条域Ｒを平坦化する部材であり、その典型的な実施例を図６に示す。
【００１１】
図６は平坦部材４０の単位部材４０ａを示しており、単位部材４０ａは二本のレール３２、３２の幅より広い幅を有し、その両側縁部は下方に直角に折り曲げて折曲部４１ａ、４１ａが形成された平面形状が略正方形の平板４１と、該平板４１の折曲部４１ａ、４１ａ近傍にその一端を設けた連結腕４２、４２とからなり、該連結腕４２、４２の取付部とは反対側の折曲部４１ａ、４１ａの内壁には軸突部４３、４３が設けられている。そして、この実施例では単位部材４０ａがレール３２、３２上に配置されている状態において、上記折曲部４１ａ、４１ａの下辺は、単位部材４０ａの配置をより安定化させるために下枠３１の底面に当接している。この構成は各単位部材４０ｂ、４０ｃ・・ともに同一である。
【００１２】
また、連結腕４２、４２の他端にはそれぞれ連結孔４４、４４を穿設し、この連結孔４４、４４に、次に連結する単位部材４０ｂの軸突部４３、４３を回動自在に係合させ、各単位部材４０ａ、４０ｂ、４０ｃ・・を順次連結させて折曲自在の平坦部材４０を形成する。折曲許容角度は直角程度でよい。
【００１３】
なお、平坦部材４０は下枠３１上に配置されている状態において、凹凸条域Ｒの凹部を完全に塞いで平坦にする必要はなく車椅子の車輪が円滑に乗り越えられる程度であれば良い。また、平坦部材４０上面は完全な水平面である必要はなく、例えば角部がないなだらかな山形でも良く、また、水平な桟状体であってもよい。
【００１４】
以上のように形成された平坦部材４０は、図１、２に示すようにその先頭の単位部材４０ａの連結腕４２、４２に形成した連結孔４４、４４を介して縦枠３３の下端に設けた平面形状コ型の取付枠３４に軸着する。また、平坦部材４０の他端（後尾側）は収納部１２内に配置する。そして第１開閉障子１０が縦枠３３と離れている状態においては、離れている下枠３１のレール３２、３２上には平坦部材４０の一部が配置されることになる。
【００１５】
（実施例の作用効果について）上記構成において、第１開閉障子１０が「閉」状態においては図４、７に示すように平坦部材４０は収納部１２内に収納状態にある。車椅子の人が第１開閉障子１０を「開」状態へと操作すると、図１、８に示す状態を経て図２に示す状態となり、平坦部材４０が収納部１２から繰り出されて凹凸条域Ｒを覆う。そしてこの平坦部材４０上を車椅子で走行する。車椅子の車輪は凹部に落ち込むことはないから下枠３１上の走行に支障はない。
【００１６】
通行後、第１開閉障子１０を「閉」状態へと操作すると、図４、７に示すように平坦部材４０は収納部１２内に収納される。収納時には、平坦部材４０は収納部１２の開口部１３の背面に設けられている案内片１４により案内され順次収納部１２内を上動して図１に示すような収納状態となる。
【００１７】
（その他の実施例について）上記実施例では収納部１２は上下に配置されている戸当り框１１に設けたが、第１及び第２開閉戸１０、２０の下框１６に設けることも可能である。また、平坦部材４０の平板４１には通行者の体重が作用することから主として金属を素材として形成されるが、硬度が大きい合成樹脂でも可能である。
【００１８】
また、平坦部材４０の上記実施例は単位部材４０ａ、４０ｂ、４０ｃ・・を連結してチェン形状としたが、屈曲性が大きい金属素材等の帯状体であってもよい。また、平坦部材４０はレール以外の部分、即ち凹部のみに充填配置される形状のものでもよい。ともかく、平坦部材４０の形状は実施例にとらわれることなく、下枠３１の凹凸条域Ｒを平坦化するものであればどのような形状のものでもよい。
【００１９】
更に、図９〜１１に示すように、上記実施例の連結腕４２、４２の取付手段に代えて、例えば単位部材４０ａの折曲部４１ａ、４１ａを僅かに内側に折曲させつつ一側に延設して折曲部４１ａ、４１ａと一体の連結腕４２、４２とし、更に連結腕４２、４２の端部には隣接する単位部材４０ｂの平板４１の下面に当接して支持する支持縁４２ａ、４２ａを形成しても良い。
【００２０】
この場合にも連結腕４２、４２の内壁には軸突部４３、４３を設ける。このように構成することにより平板４１の支持力が高まり、結果として平板４１をより薄い形状とすることが可能で、構成を簡略化することができる。
【００２１】
更に、連結腕４２、４２の先端側を長く形成して連結腕４２、４２の回転により、上記先端部を梃子として隣接する単位部材の連結部を上動させても良い。また、上記実施例は人力による開閉戸の例を示したが、自動開閉戸に適用することができることは言うまでもない。
【００２２】
（実施例のまとめ）第１実施例は、開閉障子のサッシにおいて、第１開閉障子１０の開閉のための凹凸条３２が形成されている下枠３１に第１開閉障子１０の開閉に連動して凹凸条域Ｒを平坦にする平坦部材４０を配置することで、第１開閉障子１０を開放して車椅子で走行したり、歩行により開放口を通り抜ける場合に下枠３１の凹凸条域Ｒが平坦となって通り抜けの障害とならず安全で快適である。
【００２３】
第２実施例は、上記手段に加えて、平坦部材４０の収納部１２を第１開閉障子１０の戸当り框１１に設けたことで、全体の構成が複雑とならず既存の開閉障子のサッシにも適用することができる。なお、収納部１２の付設箇所を戸当り框（縦框）１１に代えて下框１６或いは縦枠３３側に設けても良い。収納部１２を縦枠３３側に設ける場合には、平坦部材４０を構成する端部の単位部材４０ａは戸当り框１１（縦框）の下端部に軸着することになる。
【００２４】
第３実施例は、上記手段に加えて、平坦部材４０は折曲げ可能な長尺体で形成することで、収納部１２への出し入れが円滑となる。第４実施例は、上記第２又は第３実施例に加えて、上記収納部１２の下部に平坦部材４０の収納を案内する案内片１４を付設することで、平坦部材４０の収納部１２への出し入れが一層円滑となる。
【００２５】
なお、上記各実施例は引き戸形式の第１開閉障子１０の例で説明したが、第２開閉障子２０に適用しても良く、更にドア形式の開閉戸であってもよく、この場合にはドアの回転の動きに平坦部材の配置が連動するように構成すればよい。
【００２６】
【発明の効果】
本発明は以上のように構成されているので、開閉戸の下枠に開閉戸の開閉に連動して凹凸条域を平坦にする平坦部材を配置することで、開放口を車椅子で走行したり歩行により通り抜ける場合の障害とならず安全で快適であり、平坦部材の収納部を戸当り框に設けたことで、全体の構成が複雑とならず既存の開閉戸のサッシにも適用することができるという効果がある。更に、本発明は、平坦部材は折曲げ可能な長尺体で形成することで、収納部への出し入れが円滑となるという効果がある。
【図面の簡単な説明】
【図１】本発明の実施例に係る開閉戸サッシの作用説明図。
【図２】同実施例の概略平面図。
【図３】同実施例の概略縦断面図。
【図４】同実施例の開閉戸の閉状態の概略水平断面図。
【図５】同実施例の平坦部材の作用状態を示す概略縦断面図。
【図６】同実施例の平坦部材の単位部材の平面図（Ａ）、正面図（Ｂ）及び側面図（Ｃ）。
【図７】同実施例の平坦部材の非作用状態を示す概略縦断面図。
【図８】同実施例に係る開閉戸サッシの作用説明図。
【図９】本発明の第２実施例の概略平面図。
【図１０】同第２実施例の平坦部材の部分側面図。
【図１１】同第２実施例の平坦部材の作用状態を示す概略縦断面図。
【符号の説明】
Ｒ・・・下枠の凹凸条域
１０・・・第１開閉戸（第１開閉障子）
１１・・・戸当り框（縦框）
１２・・・収納部
１３・・・開口部
１４・・・案内片
１５・・・側板
１６・・・下框
２０・・・第２開閉戸（第２開閉障子）
３０・・・サッシ枠
３１・・・下枠
３２・・・凹凸条（レール）
３３・・・縦枠
３４・・・取付枠
４０・・・平坦部材
４０ａ、４０ｂ、４０ｃ・・・平坦部材の単位部材
４１・・・平板
４１ａ・・・折曲部
４２・・・連結腕
４２ａ・・・支持縁
４３・・・軸突部
４４・・・連結孔
【図１】
0003608687.tif 000002
【図２】
0003608687.tif 000003
【図３】
0003608687.tif 000004
【図４】
0003608687.tif 000005
【図５】
0003608687.tif 000006
【図６】
0003608687.tif 000007
【図７】
0003608687.tif 000008
【図８】
0003608687.tif 000009
【図９】
0003608687.tif 000010
【図１０】
0003608687.tif 000011
【図１１】
0003608687.tif 000012